(57)【要約】      （修正有）【課題】着用したときに、襟の首の後ろあるいは左右の部分に皺ができることを防止して着物の着姿の見栄えをよくする立体衿を提供する。【解決手段】１つの長辺を凹状湾曲形状に形成した第１の衿芯と、１つの長辺を凸状湾曲形状に形成した第２の衿芯とを、凹状湾曲形状部と凸状湾曲形状部を、間に境界部となる隙間を置いて対向させた状態で、衿布１１の半分の上で接着などにより連結し、さらに接着などにより衿布１１の他の半分を折り重ねる。これを半襟と重ね、境界部を折り返し線として半衿２が表に出るように折り畳んで立体衿１とする構成であって、第１の衿芯と第２の衿芯の凹凸湾曲部を持った長辺ではない他の長辺の中央付近に、中央を避けて、１つ以上の切り込み３３を入れることで、着用したとき滑らかな曲線を得るようにした。【選択図】図６
0003203492.tif 000002
【実用新案登録請求の範囲】
【請求項１】
第１の衿芯、第２の衿芯、衿布ならびに半衿とからなり、
第１の衿芯の１つの長辺の中心部を凹状湾曲形状に形成し
第２の衿芯の１つの長辺の中心部を前記凹状湾曲形状のカーブに合わせた凸状湾曲形状に形成し、
該第１及び第２の衿芯の凹凸湾曲形状ではない側の長辺の中央からある程度離れた位置に、１つ以上の切り込みを入れ、
該第１の衿芯の該凹状湾曲形状部と該第２の衿芯の該凸状湾曲形状部の間に隙間を空けて境界部を形成しつつ、対向させて該衿布に固定し、
さらに該衿布を該第１及び第２の衿芯を包むように２つ折りに折り畳んで、該第１及び第２の衿芯を該衿布に固定し、
該衿布を、それよりやや幅の広い該半襟と重ね、
該第１と第２の衿芯の該境界部を折り線として、該半襟が表になるように、該襟布及び該半襟を２つ折に折り畳んで、立体的な構造としたことを特徴とする立体衿。
【請求項２】
請求項１に記載した立体衿であって、
該第１及び第２の衿芯を該衿布部に固定する方法が、粘着剤または熱接着剤を使った方法であることを特徴とする立体衿。
【請求項３】
請求項１に記載した立体衿であって、
複数の切り込みの深さが立体衿の中央から離れるほど浅くなることを特徴とする立体衿。
【請求項４】
請求項１に記載した立体衿であって、
複数の切り込みの方向が仮想的な中心から放射する線上にあることを特徴とする立体衿。
【請求項５】
請求項１に記載した立体衿であって、
該第１及び第２の衿芯の凹凸湾曲形状ではない側の長辺がそれぞれの湾曲形状と同じ方向により緩い湾曲形状をなしていることを特徴とする立体衿。
【請求項６】
請求項５に記載した立体衿であって、
該第１及び第２の衿芯を包むように２つ折りに折り畳んで、該第１及び第２の衿芯を固定した段階で、該第１及び第２の衿芯の凹凸湾曲形状ではない側の長辺の形状に沿って、該衿布を縫い止めし、衿芯を包んでいない余分を切り取ったことを特徴とする立体衿。
【考案の詳細な説明】
【技術分野】
【０００１】
本考案は、衿芯を内蔵しており、自然に立体的な湾曲形状を形成する立体衿に関するものである。
【背景技術】
【０００２】
本考案は、いわゆるうそつき衿、すなわち襦袢本体が無く、衿と力布および力布に取り付けたベルトと組み合わせた形態のものの衿に関し、とくに首回りで自然に立体的な形状をなし、衿に皺を作らない立体的な形状を形成する点に特徴がある衿に関する。本考案の衿のことを立体衿と称している。
【０００３】
ただし、本考案は襦袢本体が無い場合だけに限定するのはでなく、襦袢の衿としても適用できるものである。
【０００４】
従来、衿の上面にある半衿は襦袢の衿の汚れを防止するためのカバーとして使われるものであったが、この半衿の位置が顔に近く、相手から良く見られるところに位置するものであるので、おしゃれとしての要素が強い装飾品として装着する人が増えている。
【０００５】
しかし、衿は人の首回りから胸に沿って装着するとき捩じられる３次元の構造であって、一方、衿が平面である布から作成されるために、どうしても無理があり、形状が美しい湾曲形状にまとまらない、また図１６に示すように衿に皺ができるなどの問題が有り、おしゃれとは言えない見苦しい状態ができることが多かった。
【０００６】
そこで、２つ折りにした衿布の内側に上下２段の布製の芯地を接着し、その１つの芯地の長辺は緩やかな凹形湾曲線をなしており、もう１つの芯地の長辺は緩やかな凸形湾曲線をなしており、２つの湾曲線が対向して境界部をなすように配置してあり、その境界部を折返し線として折り畳んである衿の構造が提案されている。このとき、折り畳んだ境界部が衿山となり、全体としてスムーズな湾曲形状の衿となることを企図したものである。（特許文献１）
【０００７】
また、上記と類似した提案であり、２つの芯地を設置した構造で、２つの芯地の内の１つにおいて、湾曲線をなしているのとは反対側の長辺に複数の切欠き部を配置するという構造が提案されている。これは、襟を首回りに装着するときに、衿の内側と外側の内外周の長さによって皺が発生するのを防止するために、切欠き部の間から地衿の生地を摘み出して切欠き部の両端部を引き寄せることによって、平面の生地である地衿を立体的で且つ湾曲形状した形状にしようとするものである。（特許文献２）
【先行技術文献】
【特許文献】
【０００８】
【特許文献１】実用新案出願公告昭和５４−４１７６２号
【特許文献２】特許公開２０１１−２５２２３９号
【考案の概要】
【考案が解決しようとする課題】
【０００９】
しかし、上記の文献１に示されるように単に湾曲形状に構成しただけでは、皺を無くすことはできず、また衿の湾曲度によっても状況が異なるものであるため、着物の着付け方によっては全く効果が見られない場合もあった。
【００１０】
また、上記の文献２に示されるように芯材に複数の切欠き部を設置すれば一定の効果は見られるが、文献２のように衿の中央部、すなわち首の真後ろに切欠き部を設置すると、芯材中央部の強度が低下してしまうため全体の湾曲形状に影響が出てしまい、見栄えの良い衿の形状を得ることが難しかった。
【００１１】
そこで、本考案は、着付け方によって襦袢の衿形状が異なっても立体的に美しい湾曲を成し、また衿に皺ができにくく、見栄えの良い立体衿を提供する事を目的とする。
【課題を解決するための手段】
【００１２】
本考案は、第１の衿芯、第２の衿芯、衿布ならびに半衿とからなり、
第１の衿芯の１つの長辺の中心部を凹状湾曲形状に形成し
第２の衿芯の１つの長辺の中心部を前記凹状湾曲形状のカーブに合わせた凸状湾曲形状に形成し、
該第１及び第２の衿芯の凹凸湾曲形状ではない側の長辺の中央からある程度離れた位置に、１つ以上の切り込みを入れ、
該第１の衿芯の該凹状湾曲形状部と該第２の衿芯の該凸状湾曲形状部の間に隙間を空けて境界部を形成しつつ、対向させて該衿布に固定し、
さらに該衿布を該第１及び第２の衿芯を包むように２つ折りに折り畳んで、該第１及び第２の衿芯を該衿布に固定し、
該衿布を、それよりやや幅の広い該半襟と重ね、
該第１と第２の衿芯の該境界部を折り線として、該半襟が表になるように、該襟布及び該半襟を２つ折に折り畳んで、立体的な構造としたことを特徴とする立体衿である。        
【考案の効果】
【００１３】
本考案によれば、衿を着用したときに全体的にスムーズに湾曲して立体的となり、衿の内側、すなわち首と接する側に皺が寄らず、また、衿の外側にも皺が寄らず、見た目を損なわない衿を提供できる。
【図面の簡単な説明】
【００１４】
【図１】芯材と衿布を重ねた平面図
【図２】芯材の切り込み部分の拡大図
【図３】衿布を折り畳んだ平面図
【図４】衿布に半衿を重ねた平面図
【図５】衿芯の境界部を折り返し線として折り畳んだ状態の平面図
【図６】衿芯の境界部を折り返し線として折り畳んだ状態の斜視図
【図７】衿芯と衿布を重ねたＡＡ’断面図
【図８】衿布を２つ折りに折り畳んだＢＢ’断面図
【図９】衿芯の境界部を折り返し線として折り畳んだＣＣ’断面図
【図１０】着物用インナーセットの一部として立体衿を組み付けた図
【図１１】着物用のインナーセットを着用した正面見取図
【図１２】着物用のインナーセットを着用した背面見取図
【図１３】芯材と衿布を重ねた時点で芯材に沿って縫い目を入れた図
【図１４】衿布を折り畳んだ時点で縫い目に沿って衿芯を包んでいない部分を切離した図
【図１５】芯材を重ねる模式図
【図１６】衿に皺がよった状態を示す図
【考案を実施するための形態】
【００１５】
本考案の実施形態を、図面に基づいて本考案の衿の構造と作用を示して説明する。
【実施例１】
【００１６】
第１の実施例を、図１〜図１２を参照して説明する。図１は、芯材と衿布を重ねた平面図である。衿布１１は長方形状であり、およその長さは１２０ｃｍ幅は１２ｃｍである。その衿布１１の上に、長手方向に中心を合わせて、衿布１１の片側（図では下側）に偏って２つの芯材を置いた状態を示している。図の判り易さを考えて芯材３、４は実際より相対的に長さを縮めて描いてある。
【００１７】
２つの芯材３、４は、自然繊維や合成繊維を織った布や薄い板状の合成樹脂などであり、衿布１１より硬めの材料で製作されている。図で下側にある第１の芯材３の、図で上側の、長辺の長手方向の中央部は緩やかな凹状湾曲形状３１をなしている。図で上側にある第２の芯材４の、図で下側の長辺の長手方向の中央部は第１の芯材３の凹状湾曲形状３１と同じ緩やかな凸状湾曲形状４１をなしている。
【００１８】
第１の芯材３の凹状湾曲形状３１と、第２の芯材４の凸状湾曲形状４１は、図で見て取れるように、対向しており、かつその間に狭い境界部５を形成するように配置されている。図１にＡＡ’で示した位置の、第１の芯材３と第２の芯材４と衿布１１を重ねた状態の断面図が図７に示してある。断面図は判り易さのために厚み方向を誇張した図になっている。（この点は以下同様である）
【００１９】
第１の芯材３の凹状湾曲形状３１と反対側にある長辺３２は、直線状もしくは凹状湾曲形状３１と同じ方向に湾曲し、それよりも緩い湾曲形状をなしている。第２の芯材４の凹状湾曲形状４１と反対側にある長辺４２は、直線状もしくは凸状湾曲形状４１と同じ方向で、それよりも緩い湾曲形状をなしている。
【００２０】
第２の芯材４の長辺４２の両端部を結んだ線と、その線に平行で第１の芯材３の長辺３２の中央を通る線との間隔は衿布１１の幅の半分よりわずかに小さい。すなわち、第１の芯材３と第２の芯材４は衿布１１の幅の片側だけに有るので、衿布１１を幅方向に２つに折り畳んだとき、第１の芯材３と第２の芯材４と干渉せずに、衿布１１の両側の長辺は重ね合わせることができる。
【００２１】
第１の芯材３の長辺３２の長手方向の中央付近で、中央およびその近傍の位置を除いた位置に、１つ以上の幅方向にのびる切り込み３３を入れてある。図１では煩雑を避けるため符号は１カ所の切り込みにのみ付けてある。第２の芯材４にも同様に切り込み４３を入れてある。
【００２２】
図２は、第１の芯材３の切り込み部分の拡大図である。切り込み３３の長手方向の位置は、図の見やすさを考慮して長手方向を縮小して描いてある。切り込みは直線状に入れるのであるが、後に説明するように、芯材を長手方向に引っ張り、張力をかけながら衿布に固定するので、切り込みが開いてＶ字状を呈する様子を描いてある。
【００２３】
図からは切り込み３３が第１の芯材３の長辺３２の長手方向（図で左右）の中心に対して対称な位置に、中心近傍を避けて、５個ずつ配置されていることが見て取れる。図示していないが、第２の芯材４にも同様に切り込み４３が配置されている。
【００２４】
第１の芯材３の長辺３２の長手方向の中心付近に切り込みを入れないのは、衿の中央部の芯材の強度が低下してしまうため全体の湾曲形状に影響が出てしまい、襟を首の周囲に着用したとき、見栄えの良い衿の形状を得ることが難しいので、そのような状態を避けるために考案者が工夫をしたものである。
【００２５】
また、図２に示したように、複数の切り込みの深さは第１の芯材３の長辺３２の長手方向の中心、すなわち立体衿の中央から離れるほど浅くなっている。さらに、それぞれの切り込みの方向は仮想的な１点の焦点１００を通ることが図から見て取れる。図示していないが、第２の芯材４にも同様に切り込み４３が配置されている。この切り込みの長さと方向は、単に長辺に対して垂直で、同じ長さの切り込みを入れた場合に比べて、一層スムーズな形状を実現し、皺の発生が少なくなるように考案者が種々の工夫の結果得たものである。
【００２６】
なお、段落００３１や図９で後述するように、芯材４は本考案の立体衿の装着時には衿の内側に（すなわち首と接する側に）、芯材３は外側になるために、芯材の湾曲の程度は芯材３より芯材４の方がきつくなる。したがって、芯材の中央部近くにおける切り込み３３同士の間隔と切り込み４３同士の間隔は、図１他においてはほぼ同じ間隔に図示されているが、実際は芯材３より芯材４において間隔をやや狭くするのが望ましい。例えば、芯材４の中央部近くにおける切り込み４３同士の間隔は４〜５ｃｍ程度、芯材３の中央部近くにおける切り込み３３同士の間隔は５〜６ｃｍ程度である。
【００２７】
図３は、衿布１１を折り畳んだ平面図である。図１に示した状態において、衿布１１の長手方向の中心線を折り線として、第１の芯材３と第２の芯材４を内側に包むように幅方向に２つに折り畳んだ結果である。
【００２８】
第１の芯材３と第２の芯材４には、熱可塑性の接着剤を付与してあり、加熱すると挟み込んだ衿布１１と接着して、相互に動かないように固定する。このとき衿芯３、４を引っ張り、図２に示すように切り込み３３をＶ字状に開いた状態として、衿布１１に固定する。これによって衿布１１を変形させて立体衿の形状を実現できる。図の煩雑さを避けるために図２以外では切り込みは直線で示してあるが実際には全てＶ字状に開いた状態である。図２では衿芯３のみを示しているが衿芯４も同じである。この実施例では、固定するために接着剤を付与してある芯材を使う方法を示したが、これに限らず、衿布１１と第１の芯材３と第２の芯材４とを縫い合わせるなどの他の固定方法であっても良い。
【００２９】
図４は、衿布に半衿を重ねた平面図である。上記のように衿布１１と第１の芯材３と第２の芯材４を重ねて、衿布１１を折り畳んで固定したものと、半襟２と長手方向の中心を合わせて重ねたものである。図に示すように、半襟２は２つに折り畳んだ衿布１１よりも若干幅が広いものを、衿布１１の両側に余分な部分が出るように配置する。              
【００３０】
第１の芯材３と第２の芯材４を衿布１１で包み半衿２を重ねた状態の、図４にＢＢ’で示した位置の、断面図を図８に示してある。
【００３１】
次に、図５は衿芯の境界部を折り返し線として折り畳んだ状態の平面図である。図４で示した第１の芯材３と第２の芯材４を衿布１１で包み、半衿２を重ねたものを、境界部５を折り線として、衿布１１を内側に包むように、図で上側を、同じく図で向こう側に折り畳んだ結果である。この状態は、立体的な構造をなすものであって平面図として図示するには適当でないのであるが、判り易さのためにあえて平面図を示した。図５にＣＣ’で示した位置の、断面図が図９に示してある。図９において、最上部にある折り目が衿山６を形成する。なお、図９において、左側が衿の内側（首と接する側）、右側が外側になる。
【００３２】
図６は、衿芯の境界部を折り返し線として折り畳んだ状態の斜視図である。図５と同じものであるが、首から胸にかけて装着した状態を平面的でなく立体的に示したものである。折り線として使った境界部５は衿山６の位置と一致している。このとき、切り込み３３は、中央部に近いものは首の真後ろを除いて肩前まで達しており、中央部から離れたものは胸の上部に分布していることが見て取れる。図示していないが芯材４の切り込み４３は、首の真後ろを除いて肩前まで達している。
【００３３】
本考案の立体衿１は、このように境界部５を折り線として、衿布１１を包むように折り畳むと図６のように自然に立体的になり、衿の湾曲した線が実現される。また、このとき立体衿１の内側、すなわち人体に装着したとき首と接する側、および立体衿１の外側にも皺が発生せず見栄えが良い。
【００３４】
図１０は、着物用インナーセットの一部として立体衿を組み付けた図である。この衿を実際に人体に装着するためには、本考案者が別途考案した着物用インナーセットなどを使う。着物用インナーセットは従来の襦袢の一部であった衿だけを着用して襦袢を着ずに済むようにしたもので、着物の着付けを容易にするものである。
【００３５】
着物用インナーセットは、図１０に示すように立体衿１に力布７を縫着するなどして取付けて、力布７に立体衿１の端部と接続するためのベルト８とその先端のクリップ９、さらに着物の衿と接続するためのベルト８とその先端のクリップ９を備えたものである。
【００３６】
図１１は、着物用のインナーセットを着用した正面見取図である。立体衿１を首の周りに装着して、その端部を、力布７の中間に取り付けたベルト６にクリップ７よって連結する。図１２は、着物用のインナーセットを着用した背面見取図である。図１１、図１２から、立体衿１が首１０１から胴１０２にわたって身体に固定されていることが見て取れる。
【００３７】
このように本考案の立体衿によれば、着付け方によって襦袢の衿形状が異なっても立体的に美しい湾曲を成し、また衿に皺ができにくく、見栄えの良い立体衿を提供できる。
【００３８】
上記は着物用のインナーセットの本考案の立体衿を組み合わせた場合について説明したが、襦袢と組み合わせた場合も同じ効果が期待できる。
【実施例２】
【００３９】
図１３は、芯材に沿って縫い目を入れた図である。実施例１において図３に示した芯材３，４と衿布１１を重ねて、衿布１１を半分に折って芯材３．４を包んだ状態で、第２の衿芯４の長辺４２に沿って衿布１１に縫い目２０を形成する。このようにすることで、重なった２枚の衿布同士を縫い合わせ、さらには内部にある衿芯４の固定を強化することができる。
【００４０】
図１４は、衿布１１を折り畳んだ時点で縫い目２０に沿って衿芯３、４を包んでいない部分を切離した図である。この結果、衿布１１の図で上辺において中央部が衿芯４の長辺４２に沿って切り落とされ、衿布１１の中央部の幅が若干細くなる。
【００４１】
なお、図１４において、長辺４２あるいは縫い目２０に添って衿布１１あるいはその上にある半衿２を切り落とさなくても、図１４において示した段階の次に、境界線５に沿って衿芯３と衿芯４を折るときに、衿布１１あるいは半衿２を内側に折り込むことによっても、切り落とす場合と同様に、衿布１１および半衿２の上辺を図１４のように湾曲した形状にすることが出来る。
【００４２】
以下は、第１の実施例と同様の手順で立体衿１を完成させる。この手順を取った場合、衿芯４がずれにくくなり、また立体衿１の内側、首に接する部分の長手方向の幅が一定に近くなり、見栄えが良くなるという利点がある。
【実施例３】
【００４３】
この実施例では、衿芯を２重に重ねる方法を示す。図１５は芯材を重ねる模式図である。図１５においては、衿芯３と同一形状の衿芯カバー３ａおよび衿芯４と同一形状の衿芯カバー４ａをまず衿布１１と重ね、続けて衿芯３および衿芯４を全く同じ位置に重ねる様子を矢印で示している。
【００４４】
この点以外は、実施例１と同じである。
【００４５】
このようにする理由は、衿芯に作成する切込が沢山になり、衿布を通して薄く見えるので、これを避ける為に、最終的に衿布の次になる位置に薄い芯を最初に入れて、その上に硬い芯を重ねるものである。これによって見栄えの良い衿を提供できる。
【００４６】
本考案の立体襟は、図８の状態で保管し、この保管時に図８の左側から切れ込みが透けて見えないことに見栄えの良さの意味がある。なお、図8の右側には衿布１１の上に半衿２があるので、薄い芯を入れなくても右側から透けて見えることはない。
【符号の説明】
【００４７】
１        立体衿
１０      皺
１１      衿布
２        半衿
２０      縫い目
３        衿芯
３ａ      第１の衿芯カバー
３１      凹状湾曲形状
３２      長辺
３３      切り込み
４        衿芯
４ｂ      第２の衿芯カバー
４１      凸状湾曲形状
４２      長辺
４３      切り込み
５        境界部
６        衿山
７        力布
８        ベルト
９        クリップ
１００    焦点
１０１    首
１０２    胴
１０３    腕 
【図１】
0003203492.tif 000003
【図２】
0003203492.tif 000004
【図３】
0003203492.tif 000005
【図４】
0003203492.tif 000006
【図５】
0003203492.tif 000007
【図６】
0003203492.tif 000008
【図７】
0003203492.tif 000009
【図８】
0003203492.tif 000010
【図９】
0003203492.tif 000011
【図１０】
0003203492.tif 000012
【図１１】
0003203492.tif 000013
【図１２】
0003203492.tif 000014
【図１３】
0003203492.tif 000015
【図１４】
0003203492.tif 000016
【図１５】
0003203492.tif 000017
【図１６】
0003203492.tif 000018